(57)【特許請求の範囲】
【請求項１】
無線通信システムにおいて複数の共有制御チャネルを介して送信するために、合成シグナリングメッセージ部分（５００，７００）を生成する方法であって、
（Ａ）少なくとも２個のセグメント（５１０，５３０）（７１０，７３０）を含むよう合成シグナリングメッセージ部分（５００，７００）を形成するステップであって、各セグメント（５１０，５３０）（７１０，７３０）が、異なるユーザ機器（ＵＥ）を識別するデータを含む、ステップ
からなり、
前記（Ａ）ステップが、少なくとも２つのセグメント（５１０，５３０）（７１０、７３０）を共同で符号化することにより生成されたエラー修正符号（５５０，７５０）を含むように合成シグナリングメッセージ部分（５００，７００）を形成することを特徴とする方法。
【請求項２】
請求項１記載の方法であって、さらに、
（Ｂ）チャネル化符号（５２０，７２０）上のデータ及び該異なるＵＥに専用の専用制御チャネルの変調を合成シグナリングメッセージ部分（５００，７００）に含めるステップ
からなる方法。
【請求項３】
請求項１記載の方法であって、さらに、
（Ｃ）該異なるＵＥに専用の専用制御チャネルのトランスポートフォーマットデータ及びハイブリッドＨＡＲＱ（７２０，７４０）を前記合成シグナリングメッセージ部分（７００）に含めるステップ
からなる方法。
【請求項４】
無線通信システムにおいて複数の共有制御チャネルを介して送信するために、合成シグナリングメッセージ部分（５００，７００）を生成する方法であって、
（Ａ）少なくとも２個のセグメント（５１０，５３０）（７１０，７３０）を含むよう合成シグナリングメッセージ部分（５００，７００）を形成するステップであって、各セグメント（５１０，５３０）（７１０，７３０）が、異なるユーザ機器（ＵＥ）に専用の専用制御チャネル上に情報を提供するデータを含む、ステップ
からなり、
前記（Ａ）ステップが、少なくとも２つのセグメント（５１０，５３０）（７１０、７３０）を共同で符号化することにより生成されたエラー修正符号（５５０，７５０）を含むように合成シグナリングメッセージ部分（５００，７００）を形成することを特徴とする方法。
【請求項５】
複数の共有制御チャネルを介して合成シグナリングメッセージ部分（５００，７００）を送信する方法であって、
（Ａ）前記共有制御チャネルのそれぞれに少なくとも１つの同一のタイムスロットを介して合成シグナリングメッセージ部分（５００，７００）の異なる部分を送信するステップであって、該合成シグナリングメッセージ部分（５００，７００）が少なくとも２個のセグメント（５１０，５３０）（７１０，７３０）を含み、各セグメント（５１０，５３０）（７１０，７３０）が異なるユーザ機器（ＵＥ）を識別するデータを含む、ステップ
からなり、
前記合成シグナリングメッセージ部分（５００，７００）が、少なくとも２つのセグメント（５１０，５３０）（７１０，７３０）を共同で符号化することにより生成された巡回冗長性符号（３５０，７５０）（ＣＲＣ）を含むことを特徴とする方法。
【請求項６】
請求項５記載の方法において、前記合成シグナリングメッセージ部分（５００，７００）がさらに、シグナリングメッセージ内に、該異なるＵＥに専用の専用制御チャネルのチャネル化符号及び変調のデータ（５２０，７２０）を含むことを特徴とする方法。
【請求項７】
複数の共有制御チャネルを介して合成シグナリングメッセージ部分（５００，７００）を送信する方法であって、
（Ａ）前記共有制御チャネルのそれぞれに、少なくとも１つの同一のタイムスロットを介して合成シグナリングメッセージ部分（５００，７００）の異なる部分を送信するステップであって、該シグナリングメッセージの部分が少なくとも２つのＵＥに対するデータ（５１０，５３０）（７１０，７３０）を含み、各ＵＥに対する該データ（５１０，５３０）（７１０，７３０）が情報を該ＵＥに専用の専用制御チャネル上に提供するようなステップ
からなり、
前記合成シグナリングメッセージ部分（５００，７００）が、少なくとも２つのセグメント（５１０，５３０）（７１０，７３０）を共同で符号化することにより生成された巡回冗長性符号（３５０，７５０）（ＣＲＣ）を含むことを特徴とする方法。
【請求項８】
請求項７記載の方法であって、さらに、
（Ｂ）共有制御チャネルのそれぞれ内に同一の他のタイムスロットを介して、別の合成シグナリングメッセージ部分（５００，７００）を送信するステップであって、該別の合成シグナリングメッセージ部分（５００，７００）が該ＵＥを識別するデータを含む、ステップ
からなる方法。
【発明の詳細な説明】
【０００１】
【発明の属する技術分野】
本発明は、無線通信システムに関し、特に無線通信システムの制御チャネルで送信される情報を符号化／復号化する方法に関する。
【０００２】
【従来の技術】
無線通信システムにおいては、エアインターフェイスをユーザ機器（ＵＥ）と基地局、あるいは他の通信システム機器との間で情報を交換するために用いている。エアインターフェイスは、通常複数の通信チャネルを含む。Universal Movile Telecommunication System(UMTS)のHigh Speed Downlink Packet Access(HSDPA)仕様においては、High Speed Downlink Shared channel (HS-DSCH  高速ダウンリンク共有チャネル）を基地局から複数のＵＥへの伝送に用いている。ＨＳ−ＤＳＣＨに関してはデータ伝送を容易にするために、シグナリングチャネルが共有制御チャネルを介して与えられる。High Speed Shared Control Channels(HS-SCCH  高速共有制御チャネル）は、ＨＳ−ＤＳＣＨに関連づけられている。
【０００３】
ＨＳ−ＳＣＣＨは、対応するデータ伝送を処理するためにＵＥに必要とされるシグナリング情報を伝送するために用いられている。例としてＨＳ−ＳＣＣＨ内のシグナリング情報は伝送フォーマット情報、例えば符号情報（データ伝送用に用いられる符号）と変調情報とTransport Block Size(TBS)とを含んでいる。ＨＳ−ＳＣＣＨは、全てのＵＥの間で共有ベースで用いられ、その結果全てのＵＥは無線ネットワークのセル内に構成されたＨＳ−ＳＣＣＨの全てを読むことができる。
【０００４】
発展しつつある無線データ通信システムにおいて、例えば公知の１ｘＥＶ−ＤＯ標準とと１ｘＥＶ−ＤＶ標準と、前記のＵＭＴＳ標準内のＨＳＤＰＡ仕様においては、スケジューリング機能が基地局コントローラーからＵＥに移されて、ＵＥからのチャネル品質フィードバックに基づいた「高速」のスケジューリングを可能としている。更にまた、Adaptive Modulation and Coding(AMC)と、Hybrid Automated Repeat Request(HARQ)のような技術を導入して全システム容量を上げている。一般的にスケジューラーは、ある時点で伝送を行なうためにＵＥを選択し、適宜の変調と符号化技術によりＵＥから見た現在のチャネル状態に対する適切な伝送フォーマット（変調と符号化方式）の選択を可能としている。
【０００５】
ＨＳＤＰＡにおいては、例えばスケジューラーとＡＭＣ機能とＨＡＲＱ機能は、基地局内に配置されたＭＡＣ−ｈｓ（Medium Access Control-high speed）コントローラーにより与えられている。ＭＡＣ−ｈｓはエアインターフェス上を送信されるデータの処理に対し責任／権限を有している。更にまたＭＡＣ−ｈｓはＨＳＤＰＡに割り当てられた無線リンク物理資源を処理する権限が与えられている。一般的にＭＡＣ−ｈｓにより実行される機能は、フロー制御、スケジューリング、優先ハンドリング、ＨＡＲＱ、及び物理層トランスポートフォーマット（例えば変調と符号化系）とを含んでいる。
【０００６】
上記の技術を可能とするためには、制御シグナリングがアップリンク（ＵＥから基地局へ）とダウンリンク（基地局からＵＥへ）の両方に必要とされる。アップリンクシグナリングは、ＨＡＲＱ操作とチャネル品質識別（ＣＱＩ）用にＡＣＫ／ＮＡＣＫフィードバックから成り立っている。ＨＳＤＰＡ内のアップリンクシグナリングは、ＨＳ−ＤＰＣＣＨを介して実行される。ＨＳＤＰＡ用のダウンリンクシグナリングにおいては、ＨＳ−ＳＣＣＨを用いてＵＥへの現在の送信用にスケジューリングとＨＡＲＱ制御情報を搬送している。
【０００７】
ＨＳ−ＳＣＣＨを介して送信されるシグナリング情報内の制御、あるいはシグナリング情報は通常ブロック符号、あるいはたたみ込み符号を用いて符号化されている。かくしてＵＥはＨＳ−ＳＣＣＨ内の全ての情報を復号化して、シグナリングメッセージを復号化しなければならず、その後これを用いて対応するＨＳ−ＤＳＣＨを介しての対応するデータ伝送を処理する。
【０００８】
【発明が解決しようとする課題】
図１はＨＳ−ＳＣＣＨ１１０と、それに対応する共有ＨＳ−ＤＳＣＨの対応部分１２０との間の関係を示す。図１において各ＨＳ−ＳＣＣＨｘ（Ｘ＝１ないし４）は、対応するＨＳ−ＤＳＣＨｘ（Ｘ＝１ないし４）に関連するシグナリングメッセージ情報を搬送する。ＨＳ−ＤＳＣＨの番号、それ故にＨＳ−ＳＣＣＨの番号は伝送時間間隔（ＴＴＩ）内で同時にスケジューリングされているＵＥの数に依存して、各ＴＴＩに対し変動する。従って図１のＨＳ−ＳＣＣＨとＨＳ−ＤＳＣＨの構成により、データのチャネル化シグナリング符号とパワー資源は４個の同時伝送の間で分割される。
【０００９】
図１を参照すると、各ＨＳ−ＳＣＣＨ上の制御チャネルデータは通常２つの部分に分けられる。パート１は特定のＵＥに割り当てられたデータチャネル化シグナリング符号に関連する制御、即ちシグナリング情報からなっている。パート２はＨＡＲＱ関連情報、及びトランスポート情報を含む。
【００１０】
上記の制御シグナリング情報はいくつかの欠点、即ち高いエラーレート、ミス／誤ったアラームの可能性、資源の非効率的な利用という不利な点がある。これらの問題は、共有制御チャネルのそれぞれに必要とされる個別の符号化に起因している。個別の符号化により各共有制御チャネルは、例えば巡回冗長性符号（ＣＲＣ）データビットと、基地局からデータを受信する各ＵＥ用の個別のテールビットとを有する。
【００１１】
図２は、各ＨＳ−ＳＣＣＨを介して送信されるべきシグナリングメッセージ内のパート１とパート２の中身をさらに詳細に示す。パート１とパート２は、いくつかのセグメントを含む。各ＨＳ−ＳＣＣＨに対してはパート１は、情報ビットの独自のセット（ｉｎｆｏ１ＨＳ−ＳＣＣＨｘ  ここでｘ＝１から４）を有する情報ビットセグメントと、エラー検出に用いられる巡回冗長性チェックコード（ＣＲＣ）セグメントと、ＨＳ−ＳＣＣＨのパート１の終了を示すテールビットセグメントを含む。例えば情報ビットは７ビットのチャネル化符号シグナリングと、１ビットの変調符号と、１個のＵＥ−ＩＤの１０ビットのＵＥ−ＩＤ符号と他の制御あるいはシグナリングビット情報を含む。同様に各ＨＳ−ＳＣＣＨのパート２は、情報ビットの独自のセット（ｉｎｆｏ２ＨＳ−ＳＣＣＨｘ  ここでｘ＝１から４）と、巡回冗長性チェックコード（ＣＲＣ）ビットとテールビットを含む。パート２内の情報ビットは、ＨＡＲＱ関連データと、トランスポートフォーマットと、資源関連データ、例えばＴＢＳと他の制御情報、及び単一のＵＥ用のＵＥ−ＩＤとＣＲＣ情報を有する。
【００１２】
ＵＥにおける複雑さを解消するために、ＨＳ−ＳＣＣＨ設計によりデータ転送の開始（即ちｔ＝０以前）前にパート１情報を送信できるようにする（図１）。現在の構成においては、各ＵＥはＨＳ−ＳＣＣＨ上の各パート１を各ＴＴＩ毎に復号化して（ａ）伝送がその特定のＵＥに向けられたものであるかと、（ｂ）伝送がその特定のＵＥに向けられたものである場合には、ＵＥはパート１を復号化し、そして対応するＨＳ−ＤＳＣＨがどのチャネル化符号に到達するかを見いださなければならない。言い換えるとＵＥは、その特定のＵＥに向けられたＨＳ−ＳＣＣＨを完全に復号化するためには、各パート１とパート２を個別に復号化しなければならず、その結果ＵＥは正しく復号化されたＨＳ−ＳＣＣＨに対応するＨＳ−ＤＳＣＨを介して意図されたバッハ（記憶すること）を開始する。
【００１３】
従って各ＵＥはデータ伝送の開始前に、各ＴＴＩごとに最大４個のＨＳ−ＳＣＣＨを復号化しなければならない。ＵＥ処理の複雑性の観点から、処理を必要とするようなパート１内のビットの数を制限することが望ましく、同時にまたできるだけシンプルにその処理を行なうことが望ましい。
【００１４】
図３はＨＳ−ＳＣＣＨに対するＨＳＤＰＡ伝送時間間隔（ＴＴＩ）を示す。ＴＴＩ３００は、３個のタイムスロット３１０ａ〜３１０ｃを有し、それぞれの持続時間０．６６７ｍｓ（ミリ秒）である。スロット３１０ａは、パート１情報を含み、スロット３１０ｂ‐ｃは、パート２情報を含む。図３は、ＨＳ−ＳＣＣＨのパート１とパート２の情報を送信するチャネル化符号の構成を示す。ＨＳ−ＳＣＣＨ３５０情報は、３個のチャネル化符号スロットを介して送信され、それらはパート１情報（スロット３６０内の符号で送信された）と、パート２情報（スロット３７０ａ‐ｂ内の符号で送信された）に分割される。従ってスロット３１０ａのパート１情報は、第１スロット３６０内で送信され、パート２情報スロット３１０ｂ‐ｃは、第２と第３のチャネル符号化スロット３７０ａ、３７０ｂで送信される（図３の点線矢印）。各ＨＳ−ＳＣＣＨは拡散係数（spreading factor（ＳＦ））１２８のチャネル化符号を用いる。ＵＭＴＳ内のＱＰＳＫ変調と３．８４Ｍｃ／Ｓのチップレートにおいては、４０個のビットが単一のタイムスロットで送信される。
【００１５】
ＨＳＰＤＡのＨＳ−ＳＣＣＨ制御フィールドの詳細、即ちパート１とパート２の情報ビットとＣＲＣビットを表１に示す。ＵＥ ＩＤはパート１またはパート２の制御フィールド内に明示的には含まれてないが、ｘビットのＣＲＣがパート１とパート２の制御フィールドを介して計算される。ここでｘは８，１６，２４、３２のＣＲＣビットであり、表１においてはＣＲＣ符号は１６ビットの長さを有する。
0004268820.tif 000002
【００１６】
図４は、ＵＥ特定のＣＲＣ（ＵＥ-specific  ＣＲＣ）計算の例を示す。ＵＥ特定ＣＲＣ計算の１つの方法は、ＵＥ ＩＤ４１０に他の制御フィールド４２０を添付し、標準のＣＲＣ計算４３０を実行することである。送信時にＵＥ ＩＤ４１０をパート１とパート２の制御フィールド２４０から取り除き、制御フィールド４２０を計算されたＣＲＣ４３０と共に送信する（ライン４３５参照）。ＵＥがＨＳ−ＳＣＣＨ送信を受信するとＵＥはＣＲＣチェック４４０を実行するが、これはその自分のＵＥ ＩＤにパート１内の他の制御フィールド、あるいはパート２内の別個の制御フィールドとを添付することにより行なわれる。ＣＲＣチェックを送信されたＣＲＣで行なう場合には、ＵＥは送信はそのＵＥに向けられたものと仮定している。ＣＲＣが送信されたＣＲＣでチェックしない場合にはＵＥは対応するＨＳ−ＤＳＣＨ上の伝送を無視する。
【００１７】
【発明が解決しようとする課題】
図２において単一のＨＳ−ＳＣＣＨ用のパート１内のビットの全数は次式で表される。Ｎｔｏｔａｌ１＝Ｎｉｎｆｏ＋ＮＣＲＣ１＋Ｎｔａｉｌ１である。ここでＮｉｎｆｏ１はＨＳ−ＳＣＣＨのパート１に含まれる情報ビットの数であり、ＮＣＲＣ１はパート１用のＣＲＣビットの数であり、Ｎｔａｉｌ１はパート１内のテールビットの数である。４個のＨＳ−ＳＣＣＨにおいては、各制御チャネル上で個別に符号化されるとＴＴＩ内で搬送されるビットの全数は、ＭｘＮｔｏｔａｌ１である。例えばＮｉｎｆｏ１＝２０、ＮＣＲＣ１＝８、Ｎｔａｉｌ１＝８と仮定すると基地局で符号化しなければならない、あるいはＵＥが復号化しなければならないビットの全数は、４個のＨＳ−ＳＣＣＨにおいては１４４ビット（４ｘ３６）である。ビットのこの全数は、処理すべき負荷となり、各ＨＳ−ＳＣＣＨに必要とされる個別の符号化故に資源の非効率的な使用となる。上記したように個別の符号化によりＨＳ−ＳＣＣＨはＣＲＣビットとテールビットを別個に搬送している。
【００１８】
同様に単一のＨＳ−ＳＣＣＨのパート２情報のビットの全数は次式で表される。Ｎｔｏｔａｌ２＝Ｎｉｎｆｏ２＋ＮＣＲＣ２＋Ｎｔａｉｌ２である。ここでＮｉｎｆｏ２はパート２に含まれる情報ビットの数であり、ＮＣＲＣ２はパート２用のＣＲＣビットの数であり、Ｎｔａｉｌ２はシグナリングメッセージのパート２のテールビットの数である。パート２は基地局で個別に符号化され、かつＵＥで個別に復号化されるためにＵＥで処理するビットの全数は処理負荷となる。
【００１９】
【課題を解決するための手段】
本発明の一態様によれば合成シグナリングメッセージ部分が生成され、無線通信システムの複数の共有制御チャネルを介して送信される。本発明の一実施例においては、合成シグナリングメッセージ部分は少なくとも２個のセグメントを含み、各セグメントは異なるユーザ機器（ＵＥ）を識別するデータを含むように構成される。この実施例においては、形成するステップは少なくとも２個のセグメントを共同で符号化することにより生成されたエラー修正符号を含むような部分を形成する。本発明の他の実施例においては、合成シグナリングメッセージ部分は、少なくとも２個のセグメントを含み各セグメントは異なるユーザ機器（ＵＥ）に制御チャネル上の情報を提供するデータを含む。この実施例においては、この形成するステップは少なくとも２個のセグメントを共同で符号化することにより、生成されたエラー修正符号を含む部分を構成する。
【００２０】
本発明の他の態様によれば、少なくとも１個の合成シグナリングメッセージ部分は複数の共有制御チャネルを介して送信される。本発明の一実施例においては、合成シグナリングメッセージ部分のの異なる一部が、各共有制御チャネル内の少なくとも１つの同一のタイムスロットを介して送信される。合成シグナリングメッセージ部分は少なくとも２個のセグメントを含み、各セグメントは異なるユーザ機器（ＵＥ）を特定するデータを含む。この実施例においては、合成シグナリングメッセージ部分は更に少なくとも２個のセグメントを共同で符号化することにより生成された巡回冗長性符号（ＣＲＣ）を含む。本発明の他の実施例においては、合成シグナリングメッセージ部分の異なる一部は、各共有制御チャネルの少なくとも１つの同一タイムスロットを介して送信される。シグナリングメッセージ部分の一部は少なくとも２個のセグメントを含み、各セグメントは異なるＵＥに専用の専用制御チャネル上の情報を提供する。この実施例においては、この部分は更に少なくとも２個のセグメントを共同で符号化することにより生成された巡回冗長性符号（ＣＲＣ）を含む。
【００２１】
本発明の他の態様によれば、シグナリングメッセージを共同に搬送する複数の制御チャネルはパワー制御が行なわれる。シグナリングメッセージは、複数のユーザ機器（ＵＥ）用のデータを含む。シグナリングメッセージの一部は、各共有制御チャネルに割り当てられ、その結果各共有制御チャネルは、他のＵＥ以外の１つのＵＥに関連づけられたより多くのデータを搬送する。各共有制御チャネルのパワーは、割り当てられた部分に関連するＵＥに基づいて制御される。
【００２２】
本発明の更に別の態様によれば、無線通信システムの複数の共有制御チャネルを介して送信されるシグナリングメッセージが生成される。シグナリングメッセージの第１部分は、共有制御チャネルの第１部分の伝送用に形成される。シグナリングメッセージの第１部分は、複数のユーザ機器（ＵＥ）用のスタート情報を含み、この各ＵＥのスタート情報がＵＥ専用の物理チャネルのシーケンス内の第１物理チャネルを特定（識別）する。シグナリングメッセージの第２部分は、共有制御チャネルの第２部分の伝送用に形成される。シグナリングメッセージの第２部分は、複数のＵＥ用の終了情報を含み、各ＵＥに対する終了情報はＵＥ専用の物理チャネルのシーケンス内の最後の専用物理チャネルを識別（特定）する。
【００２３】
【発明の実施の形態】
本発明の原理はＵＭＴＳ標準のＨＳＤＰＡ仕様に基づいた無線通信システムに適したものであり、これを例に以下説明するがこれは単なる一実施例でこの通信システムに限定されるものではない。様々な変形が当業者には明らかであろう。更にまたユーザ機器（ＵＥ）は、無線ネットワークの移動局と同義語である。
【００２４】
合成メッセージ部分とＨＳ−ＳＣＣＨの形成
本発明の第１実施例によれば、ＨＳ−ＳＣＣＨとの１対１の対応を有するシグナリングメッセージを生成する代わりに、合成パート１メッセージ部分が図５（ａ）に示されるように生成される。個々のパート２メッセージ部分は、図２に関し上記に説明したように形成される。図５（ａ）を参照すると合成パート１メッセージ部分は、特定のＴＴＩ内の送信を受信する全てのＵＥに対するチャネル化符号と変調とＵＥ ＩＤ情報を含む。この実施例においては、送信を受信する２つのＵＥのみが示されており、ＨＳ−ＳＣＣＨのパート１が送信を受信するＭ個のＵＥのチャネル化符号と変調とＵＥ ＩＤ情報を搬送しなければならない。
【００２５】
図５（ａ）によれば、合成パート１はＵＥＡに対するＵＥ ＩＤセグメント５１０とＵＥＡに対するチャネル化／変調符号セグメント５２０とＵＥＢに対するＵＥ ＩＤセグメント５３０とＵＥＢに対するチャネル化／変調符号セグメント５４０を有する。図５（ａ）においてＵＥ ＩＤは、合成パート１内に明示されている。この情報は、巡回冗長性符号（ＣＲＣ）を用いて共同でエラー修正符号化される。ＣＲＣ符号ビットの単一のセット（セグメント５５０）と、テールビットの１つのセット（セグメント５６０）は合成パート１内に含まれる。複数のＵＥ用の情報は、合成パート１を復号化するためにＵＥが実行しなければならない処理量は大幅に削減される。
【００２６】
具体的に説明すると、ＵＥがＮｔｏｔａｌ１＝を処理しなければならないビット数は次式で示される。Ｎｔｏｔａｌ１＝（ＭｘＮｉｎｆｏ１）＋ＮＣＲＣ１＋Ｎｔａｉｌ１。符号化レートと図２に関連した従来の方法との比較を表２に示す。表２の符号化レートの結果を決定する際にＮｉｎｆｏ１＝２０、ＮＣＲＣ１＝８、Ｎｔａｉｌ１＝８を仮定した。
0004268820.tif 000003
【００２７】
表２に示すように、ＵＥ処理しなければならないＨＳ−ＳＣＣＨの数が増加すると符号化レートは減少する。
【００２８】
図５（ｂ）は、図５（ａ）の実施例に従って伝送時間間隔の間にパート１とパート２データがチャネル化符号化内で以下に送信されるかを示す。図３には従来の符号化スキームにおいて、シグナリングメッセージのパート１がＨＳ−ＳＣＣＨの単一のタイムスロット内の単一の符号を介して送信され、パート２がＨＳ−ＳＣＣＨの２個のタイムスロットの単一の符号を介して送信される状態を示している。従ってタイムスロット当たり１個の符号のみが、ＨＳ−ＳＣＣＨを介して従来のアプローチで送信される。言い換えるとＵＥは、どのパート１がそのＵＥに向けられたシグナリング情報を含むかを見いだすために４個全てのパート１を復号化しなければならなく、かくしてＵＥはＨＳ−ＤＳＣＨを介した対応する伝送データを受信することができる。
【００２９】
図５（ｂ）は、図５（ａ）の例に従ってＵＥＡ，ＵＥＢへ合成パート１、パート２メッセージ部分を送信する２個のＨＳ−ＳＣＣＨを示す。同図に示すように合成パート１の第１部分は、ＨＳ−ＳＣＣＨ１のパート１内で送信され、合成パート１の第２部分は、ＨＳ−ＳＣＣＨ２のパート１部分で送信される。ＨＳ−ＳＣＣｈ１とＨＳ−ＳＣＣＨ２のパート２は図２に示したものと同一である。
【００３０】
図５（ｃ）は、３個のＵＥがＨＳ−ＳＣＣＨを共有した場合に、合成パート１は３個のＨＳ−ＳＣＣＨの５０４のパート１を介して送信される。同様に４個のＵＥがＨＳ−ＳＣＣＨを共有した場合には、合成パート１はＨＳ−ＳＣＣＨの５０６のパート１を介して送信される。
【００３１】
共同で符号化されたシグナリングメッセージを復号化するために、ＵＥはＨＳ−ＳＣＣＨのパート１を受信し、この合成パート１を復号化する。合成パート１がそのＵＥに対する識別情報を含む場合には、ＵＥはこの識別情報の場所に基づいて復号化するためにＨＳ−ＳＣＣＨのパート２を知る。例えばＵＥ ＩＤが第３のＵＥ ＩＤの場合には、ＵＥはＨＳ−ＳＣＣＨ３のパート２を復号化する。
【００３２】
別の方法としてＵＥは、データ伝送を受信するために共通に符号化された情報の一部を復号化する。例えばこの復号化は、米国特許出願第０９／９９１，１１１に開示されているような部分復号化である。（特許になった場合には、特許番号を通知する用意がある）
【００３３】
別の例として複数のＵＥ ＩＤ情報がパート１内の他の制御情報を付属していない場合には、複数のＵＥ ＩＤはＵＥ特定符号（例えば図４の場合には、ＵＥ特定ＣＲＣが用いられる）でもって制御情報をスクランブルすることにより非明示的に搬送することができる。ＣＲＣは、所望のＵＥに対するＯＫのみをチェックする。かくしてこれらの非明示的方法においては、明示的なＵＥ ＩＤビットを搬送するＨＳ−ＳＣＣＨ（パート１又はパート２のいずれか）内にフィールドは存在しない。
【００３４】
図６は、部分復号化原理を示す。例えば図６においてＵＥは１個のＵＥに対する伝送を仮定してパート１情報を復号化した後、ＣＲＣチェックを実行するために最初にトライする。ＣＲＣチェックが失敗すると、ＵＥは２個のＵＥへの伝送を仮定して、制御情報を復号化しようとする。しかしＵＥが１個のＵＥに対する情報をすでに復号化している。そのためにシーケンシャルな復号化アプローチを用いて、ＵＥはすでに復号化した情報を更に復号化する必要はない。このアプローチによりＵＥにおける処理負荷を減らすことができる。
【００３５】
図７（ａ）は、合成パート１メッセージ部分と合成パート２メッセージ部分の両方が形成された本発明の実施例を示す。図５（ａ）を参照すると、合成パート１の形成に対応する説明が見いだされる。合成パート２も同様に形成される。ただしパート２情報についてではあるが、図５用に用いたのと同様に２個のＵＥの例を用いて、そして図７（ａ）を参照すると、合成パート２（７００）はＵＥＡ用のＵＥ ＩＤセグメント７１０と、ＵＥＡ用のＨＡＲＱ制御とフォーマットセグメント７２０と、ＵＥＢ用のＵＥ ＩＤセグメント７３０と、ＵＥＢ用のＨＡＲＱ制御とフォーマットセグメント７２０含む。図７（ａ）においては、ＵＥ ＩＤはパート２に明示されている。この情報は、例えば巡回冗長性符号（ＣＲＣ）を用いて共同でエラー修正符号化される。ＣＲＣ符号ビットの単一の組（セグメント７５０）と、テールビットの組（セグメント７６０）が合成パート２内に含まれる。複数のＵＥに対する情報は、合成パート２を形成する際に共同に符号化されるために、合成パート２を復号化するためにＵＥが実行しなければならない処理量は大きい。
【００３６】
具体的に説明すると、ＵＥが処理しなければならないパート２のビット数Ｎｔｏｔａｌ２は次式で表される。Ｎｔｏｔａｌ２＝（ＭｘＮｉｎｆｏ２）＋ＮＣＲＣ２＋Ｎｔａｉｌ２。Ｍ個の制御チャネルがある場合には、各ＨＳ−ＳＣＣＨ上の共通符号化を用いてＴＴＩの中で搬送されるビットの全数は、ＭｘＮｔｏｔａｌ２である。この符号化レートと図２に関して説明した従来の方法との比較を表３に示す。表３の符号化レートを決定するためにはＮｉｎｆｏ２＝２０、ＮＣＲＣ２＝８、Ｎｔａｉｌ２＝８を仮定した。
0004268820.tif 000004
【００３７】
パート２情報のフォーマットはＵＥにとって入手可能であり、そしてこのＵＥがパート１情報を復号化する。従ってパート２フォーマットを明示的に信号化する必要はない。即ちパート１内のＵＥ ＩＤのＮ個の数が存在することは、パート２はＮ個のＵＥからの制御情報でもって符号化されていることを示している。パート１情報とパート２情報との間の１対１のマッピングが存在する。パート１情報は特定の順番で、例えばＵＥ ＩＤ Ａ、ＵＥ ＩＤ Ｂで送信される。そのためＵＥがパート１内でそのＵＥ ＩＤを見ると、パート２内のＵＥ ＩＤの位置を知ることができる。例えばＵＥ ＩＤ Ｂがポジション２に現われるならば、このことはパート２情報内のポジション２はＵＥ Ｂの制御情報を搬送していることを示している。
【００３８】
図７（ｂ）は、図７（ａ）の実施例に従って伝送時間間隔の間にＨＳ−ＳＣＣＨ内でいかにパート１、パート２が搬送されるかを示している。同図に示すように合成パート１メッセージ部分は、ＨＳ−ＳＣＣＨのパート１間で分割され、合成パート２メッセージ部分は、ＨＳ−ＳＣＣＨのパート２間で分割される。
【００３９】
それ故にシグナリングメッセージは、パート１とパート２の両方のＵＥ−ＩＤセグメントを共同で符号化することにより生成され、１つあるいは複数のＨＳ−ＳＣＣＨを介して送信される。更にまたシグナリングメッセージのパート１とパート２の両方内にあるＵＥ−ＩＤを共同で符号化することに加えて、テールビットの１つの組のみをたたみ込み符号用に用い、ＣＲＣビットの１つの組のみをエラーチェック用に用い、かくして対応するＨＳ−ＤＳＣＨ上にそのＵＥに向けられた伝送があるか否かを決定するためにＵＥが処理しなければならないビット量を減らすことができる。
【００４０】
ＨＳ−ＳＣＣＨ内のチャネル化符号情報の減少
図８は、本発明の符号化情報に従ってチャネル符号化ビットが減らされる実施例を示す。パート１情報の共同符号化により、符号化情報に必要とされるビット数を減らすことができる。図８は、セルが１５個のＳＦ１６チャネル化符号を３つのＵＥ、即ちＵＥＡ，ＵＥＢ、ＵＥＣに割り当てるものと仮定する。従来のアプローチを用いると、開始符号と終了符号の指示が各ＵＥに対し個別に必要とされる。しかし共同符号化を用いることにより、開始符号の指示のみが最後のＵＥ（即ちＵＥＣ）を除く全てに必要となるだけである。ｉ番目のＵＥに対する終了の指示はｉ＋１番目のＵＥの開始指示から得ることができる。
【００４１】
図８は、この原理を示す。図８において符号情報は、開始１ビット、開始５ビット、開始１４ビットと終了１５ビットからなる。全部で１６個のＳＦ１６符号でもって４ビットの指示を用いると、開始または終了を示すことができる。例えばパート１情報が３個のＵＥに対し搬送される場合には、情報符号ビットの全数はわずか１６ビットである。従来のアプローチにおいては、開始符号と終了符号が各ＵＥに個別に必要とされている。そのためＴＴＩの中で３個のＵＳ符号が多重化されると符号情報ビットの全数は、６ｘ４（４個のＨＳ−ＳＣＣＨに対し）ビット、即ち２４ビットとなる。
【００４２】
ＨＳ−ＳＣＣＨのパワー制御
パワー制御は重要である。その理由は他の実施例においては、合成パート１と合成パート２情報がＴＴＩの中で複数のＵＥに対し情報を搬送するからである。
【００４３】
本発明の一実施例においては、ＨＳ−ＳＣＣＨはＴＴＩの中の最悪のシナリオのチャネル条件のＵＥに基づいてパワー制御される。ＴＴＩの中に１つのＵＥしかない場合には、パート１情報はスケジュールされたＵＥにのみパワー制御される。
【００４４】
他の実施例を図９に関し説明する。合成パート１をレート１／２のたたみ込み符化器でもって共同符号化した後、ビットは４個の等しい部分に分けられる。これらの４個の等しい部分のそれぞれは、その後チャネル化符号（即ちＨＳ−ＳＣＣＨ）を介して送信される。異なるパワーが異なるチャネル化符号に基づいて用いられる。例えばＵＥ１情報を復号化するのは、チャネル化符号１と２の上のＳＮＲに大きく影響を受ける。ｉ番目の情報ビットの復号化は、ｉ＋１番目、ｉ＋２番目・・・ｉ＋Ｐ番目のビットにより影響を受けるようなたたみ込み符号化／復号化を用いていることに起因する。制約長はたたみ込み符号内のシフトレジスタ（それぞれのレジスタは１ビットの情報を記憶する）の数である。ビット間の距離Ｐが大きくなればなるほど影響は薄れてくる。
【００４５】
代表的なパワー制御系は、ＵＥ１にパワー制御されたチャネル化符号１と、ＵＥ２に対するチャネル化符号２とを有する。本発明の一実施例においては、ＵＥは合成パート１内に配置され、その結果図９に示すようにＵＥ１はチャネル品質の観点から最悪であり、ＵＥ４が最適である。このことはＵＥ１情報の復号化が符号２、符号３、符号４上のＳＮＲにより影響を受けている場合でも、符号１上のパワーに比較するとインパクトが小さいという事実に起因する。（例えばＵＥ１情報ビットの大部分は、符号１で搬送される符号化ビット上にマッピングされる）従って異なるチャネル化符号に基づいて異なるパワーが用いられる。符号ｘに使用されるパワーは、Ｐｘ（ｘ＝１，２，３，４）である。チャネル品質の観点からＵＥ１が最悪のＵＥでＵＥ４が最良のＵＥの場合には、符号１，２，３，４にそれぞれ用いられるパワーＰ１―Ｐ４は、次のＰ１＞Ｐ２＞Ｐ３＞Ｐ４のルールに従う。言い換えると最悪のチャネル品質を有するＵＥに対し、共同で符号化された情報をパワー制御する必要はない。
【００４６】
それ故にシグナリングメッセージの部分を各ＨＳ−ＳＣＣＨに割り当てることにより、パワー制御は複数のＵＥに対するシグナリングメッセージを共同で搬送する１つあるいは複数のＨＳ−ＳＣＣＨに対し実行される。これは各ＨＳ−ＳＣＣＨが他のＵＥとは別の特定のＵＥに関連するデータを搬送し、その結果そのＨＳ−ＳＣＣＨの送信パワーは対応するＵＥ用のシグナリングメッセージの割り当てられた部分に従って制御される。
【００４７】
合成パート１メッセージ部分が形成され、合成パート２メッセージ部分が形成されない実施例においては、ＨＳ−ＳＣＣＨのパート２部分はデータがそれに対して向けられるＵＥに基づいて制御される。合成パート１と合成パート２のメッセージ部分が形成される実施例においては、ＨＳ−ＳＣＣＨのパート２は図９で議論したのと同様の方法でパワー制御される。
【００４８】
ＨＳ−ＳＣＣＨ内のパート１パート２間でチャネル化符号情報を分割する
従来はＨＳ−ＤＳＣＨを特定するチャネル符号化シグナリングビット全体がＨＳ−ＳＣＣＨのパート１で搬送されている。図１０（ａ）は、現在のＨＳ−ＳＣＣＨ構成を示す。パート１情報は、ＨＳ−ＳＣＣＨの１スロット（図３）を介して搬送され、パート２情報は、ＨＳ−ＳＣＣＨ残りの２つのスロットを介して搬送される。シグナリングメッセージのパート１内で搬送される制御とシグナリング情報は、パート２内で搬送される情報の半分以上である。しかし図３から分かるようにパート１の伝送時間（０．６６７ミリ秒のタイムスロット）は、パート２の伝送時間（２つのスロット）の半分である。従ってＨＳ−ＳＣＣＨのパート１は同一のframe error rate（ＦＥＲ）に対しては、パート２よりもより多くのパワーを必要とする。
【００４９】
パート１とパート２の間のパワーのアンバランスは好ましくなく、その結果無線資源の非効率的な使用につながる。このことは、パート１とパート２の伝送の間送信パワーを一定に維持するために最悪の場合のパワーが用いられる（この場合パート１のパワー）という事実に原因する。それ故にパート２はＦＥＲ目標パワーに適合するために必要とされるよりもより多くのパワーでもって送信される。その結果資源の無駄となる。
【００５０】
このパワーアンバランスの問題を解決するために、パート１内の制御ビットの一部をパート２に移動させる。図１０（ｂ）は、本発明によりパート１とパート２の間で、ＨＳ−ＤＳＣＨ特定するチャネル化符号ビットを分割する概念を示している。一般的にＵＥはＨＳ−ＤＳＣＨを開始する前に制御、あるいはシグナリング開始情報のみを必要とする。それ故に図１０（ｂ）から分かるように、チャネル符号化開始情報はシグナリングメッセージのパート１内にあり、一方チャネル化終了符号ビットはパート２で搬送される。パート１データ（ＵＥ ＩＤチャネル化符号開始指示等）を受領した後、ＵＥはチャネル符号化開始指示から始まる全てのＨＳ−ＤＳＣＨ符号をその中に記憶する。その後ＵＥはパート２内のチャネル化符号終了指示を受領した後、ＵＥに割り当てられた符号の正確な数（番号）を決定する。
【００５１】
そのため図１０（ｂ）の実施例は、シグナリングメッセージが生成され、このメッセージのパート１とパート２の間で、チャネル化符号の開始符号指示と終了符号指示を分離することにより複数のＨＳ−ＳＣＣＨを介して送信するプロセスを示す。複数のＵＥに対する開始符号指示は、各ＨＳ−ＳＣＣＨで搬送されるシグナリングメッセージのパート１内に形成され、終了符号指示はＨＳ−ＳＣＣＨ上で搬送されるシグナリングメッセージのパート２内で形成される。
【００５２】
本発明は様々な方法により実行することができる。上記のアルゴリズムはいつかの構成要素、フローチャート、ブロックからなるよう説明したが、符号化及び復号化方法は応用特定集積回路、ソフトウェア駆動プロッセサー、あるいは個々の構成要素の組み合わせにより実行することができる。
【００５３】
以上の説明は、本発明の一実施例に関するもので、この技術分野の当業者であれば、本発明の種々の変形例を考え得るが、それらはいずれも本発明の技術的範囲に包含される。尚、特許請求の範囲に記載した参照番号は発明の容易な理解のためで、その技術的範囲を制限するよう解釈されるべきではない。
【図面の簡単な説明】
【図１】図１の共有制御チャネルと共有ダウンリンクデータチャネルとの間の関係を示す図。
【図２】ＨＳ−ＳＣＣＨの従来の構成を表す図。
【図３】パート１とパート２が伝送時間間隔によりチャネル化符号内で送信される状態を示す。
【図４】ＵＥ特定ＣＲＣ計算の例を示す
【図５】（ａ）本発明の一実施例によるシグナリングメッセージのパート１の共同符号化を表す。
（ｂ）、（ｃ）本発明の一実施例によるシグナリングメッセージのパート１とパート２のデータが共同符号化を表す。
【図６】本発明により共同で符号化されたデータを復号化する方法を表す図。
【図７】（ａ）本発明の他の実施例によるＨＳ−ＳＣＣＨのパート１とパート２の共同符号化を表す図。
（ｂ）本発明の一実施例によるシグナリングメッセージのパート１とパート２のデータが共同符号化を表す。
【図８】本発明の符号化方法によりチャネル符号化ビットが減少した実施例を表す図。
【図９】本発明によるＨＳ−ＳＣＣＨのパワー制御を表す図。
【図１０】（ａ）従来のＨＳ−ＳＣＣＨを表す図であり、（ｂ）本発明の一実施例によるＨＳ−ＳＣＣＨを表す図。
【符号の説明】
１１０  ＨＳ−ＳＣＣＨ
１２０  ＨＳ−ＤＳＣＨ
３００  ＴＴＩ
４１０  ＵＥ ＩＤ
４３０  ＣＲＣ計算
４２０  ＳＣＣＨ制御フィールド
４３５  ライン
４４０  ＣＲＣ
５００，７００  合成シグナリングメッセージ部分
【図１】
0004268820.tif 000005
【図２】
0004268820.tif 000006
【図３】
0004268820.tif 000007
【図４】
0004268820.tif 000008
【図５】
0004268820.tif 000009
【図６】
0004268820.tif 000010
【図７】
0004268820.tif 000011
【図８】
0004268820.tif 000012
【図９】
0004268820.tif 000013
【図１０】
0004268820.tif 000014